(57)【要約】      （修正有）【課題】高画質・長時間録画が可能で信頼性が高く、設置が容易であり、更にはデータのバックアップが容易で短時間で可能な録画装置一体型の監視カメラを提供する。【解決手段】監視カメラ装置であって、監視カメラ装置の取り付け部位に固定することができるように構成されたベースと、カメラ部と、カメラ部が取り付けられる台座部３４と、カメラ部で撮像された画像データを記憶するハードディスクドライブ５と、を備え、台座部のベースに対向する側の部分には、ハードディスクドライブの位置を、少なくとも、ハードディスクドライブの主面に対して垂直な方向において規制するための凸状部が設けられている。【選択図】図３
0003198511.tif 000002
【実用新案登録請求の範囲】
【請求項１】
監視カメラ装置であって、
前記監視カメラ装置の取り付け部位に固定することができるように構成されたベースと、
カメラ部と、
前記カメラ部が取り付けられる台座部と、
前記カメラ部で撮像された画像データを記憶するハードディスクドライブと、
を備え、
前記台座部の前記ベースに対向する側の部分には、前記ハードディスクドライブの位置を、少なくとも、前記ハードディスクドライブの主面に対して垂直な方向において規制するための凸状部が設けられている
監視カメラ装置。
【請求項２】
前記ハードディスクドライブは外付けハードディスクドライブである請求項１に記載の監視カメラ装置。
【請求項３】
前記カメラ部が前記台座部に対して下側に配置された場合、前記ハードディスクドライブは前記凸状部に載置される請求項１又は２に記載の監視カメラ装置。
【請求項４】
前記台座部の前記ベースに対向する側の部分には、更に、前記ハードディスクドライブの位置を、少なくとも、前記ハードディスクドライブの主面に平行な方向において規制するためのガイド部が設けられている請求項１〜３のいずれか１項に記載の監視カメラ装置。
【請求項５】
データ転送インタフェースを有する回路基板を更に備え、
前記回路基板には第１のデータ転送ケーブルが接続され、
前記ハードディスクドライブには第２のデータ転送ケーブルが接続され、
前記第２のデータ転送ケーブルは、前記第１のデータ転送ケーブルと、直接又は一若しくはそれ以上のデータ転送ケーブルを介して、着脱可能に接続されている請求項１〜４のいずれか１項に記載の監視カメラ装置。
【請求項６】
前記データ転送インタフェースはＵＳＢインタフェースであり、前記データ転送ケーブルはＵＳＢケーブルである請求項５に記載の監視カメラ装置。
【請求項７】
前記凸状部は、前記凸状部以外の前記台座部とは分離されており、
前記凸状部には、雌ネジ部を有するネジ穴部が設けられ、
前記回路基板は、ネジが前記台座部に設けられた穴及び前記回路基板に設けられた穴を介して前記凸状部に設けられたネジ穴部にねじ込まれることによって、前記台座部に固定される請求項１〜６のいずれか１項に記載の監視カメラ装置。
【請求項８】
前記凸状部の高さは、前記回路基板上の部品及び配線を損傷しないような高さである請求項１〜７のいずれか１項に記載の監視カメラ装置。
【請求項９】
前記凸状部は複数設けられている請求項１〜８のいずれか１項に記載の監視カメラ装置。
【請求項１０】
前記凸状部は柱状である請求項１〜９のいずれか１項に記載の監視カメラ装置。
【請求項１１】
サブカメラを更に有する請求項１〜１０のいずれか１項に記載の監視カメラ装置。
【請求項１２】
前記サブカメラは前記台座部に着脱可能にかつ位置自在に取り付けられる請求項１１に記載の監視カメラ装置。
【請求項１３】
前記カメラ部は、赤外線を照射する照明部を更に備える請求項１〜１２のいずれか１項に記載の監視カメラ装置。
【請求項１４】
無線ＬＡＮモジュールを更に備える請求項１〜１３のいずれか１項に記載の監視カメラ装置。
【請求項１５】
前記ハードディスクドライブが、前記無線ＬＡＮモジュールを更に備える請求項１４に記載の監視カメラ装置。
【請求項１６】
前記回路基板が、前記無線ＬＡＮモジュールを備える基板を更に備える請求項１４に記載の監視カメラ装置。
【請求項１７】
有線ＬＡＮモジュールを更に備える請求項１〜１６のいずれか１項に記載の監視カメラ装置。
【請求項１８】
前記監視カメラに異常が発生した場合に、異常を検知し報知する異常検知報知部を更に備える請求項１〜１７のいずれか１項に記載の監視カメラ装置。
【考案の詳細な説明】
【技術分野】
【０００１】
この考案は、監視カメラ装置に関するものであり、より詳細には録画装置一体型の監視カメラ装置に関する。
【背景技術】
【０００２】
従来の録画装置一体型の監視カメラ装置として、記録媒体としてＳＤカードを用いるものが知られている。
【０００３】
一方、記録媒体としてハードディスクドライブを用いる監視カメラ装置として、録画装置がカメラ装置と別体で構成される監視カメラ装置が知られている（特許文献１）。
【先行技術文献】
【特許文献】
【０００４】
【特許文献１】実用新案登録第３１７７７８９号公報
【考案の概要】
【考案が解決しようとする課題】
【０００５】
しかしながら、上記従来の録画装置一体型の監視カメラ装置で記録媒体として用いられるＳＤカードは、最大でも６４ＧＢと記憶容量が小さく、また繰り返し使用に対する耐久性が低い。したがって、高画質の画像を長期間にわたって記録することが難しい。また、定期的にＳＤカードを取り出して、ＳＤカードが故障していないかを確認すればよいが、手間であるため実際には頻繁には確認が行われないので、繰り返し使用に対する耐久性の低さに起因するＳＤカードの故障により、画像データを取り出すことができなくなってしまうことがあるという問題がある。
【０００６】
一方、ハードディスクドライブは、大容量で、繰り返し使用に対する耐久性も高く信頼性が高く、また転送速度も大きい記憶媒体であるが、容積が大きいため、上記特許文献１に記載された録画装置のように録画装置がカメラ装置と別体で構成され、そのような監視カメラ装置においては、カメラ装置と録画装置との間に配線が必要であり、その設置が面倒であり、また費用がかかる。
【０００７】
そこで、本考案は、高画質・長時間録画が可能で、信頼性が高く、設置の容易であり、更にはデータのバックアップが容易で短時間で可能な録画装置一体型の監視カメラを提供することを目的の１つとする。
【課題を解決するための手段】
【０００８】
本考案の態様は、監視カメラ装置であって、前記監視カメラ装置の取り付け部位に固定することができるように構成されたベースと、カメラ部と、前記カメラ部が取り付けられる台座部と、前記カメラ部で撮像された画像データを記憶するハードディスクドライブと、を備え、前記台座部の前記ベースに対向する側の部分には、前記ハードディスクドライブの位置を、少なくとも、前記ハードディスクドライブの主面に対して垂直な方向において規制するための凸状部が設けられている監視カメラ装置を提供するものである。
【０００９】
本態様によれば、ハードディスクドライブを保持する構造を、カメラ部が取り付けられる台座とベースの底面との間に配置することにより、容積の大きなハードディスクドライブを筐体内にコンパクトに収容することを可能とし、録画装置一体型の監視カメラ装置において、記憶媒体として上記のように優れた特徴を有するハードディスクドライブを採用することができる。そして、このような構成により、高画質・長時間録画が可能で、信頼性が高く、設置が容易な録画装置一体型の監視カメラが実現される。
【００１０】
好ましくは、前記ハードディスクドライブは外付けハードディスクドライブである。
【００１１】
好ましくは、前記カメラ部が前記台座部に対して下側に配置された場合、前記ハードディスクドライブは前記凸状部に載置される。
【００１２】
好ましくは、前記台座部の前記ベースに対向する側の部分には、更に、前記ハードディスクドライブの位置を、少なくとも、前記ハードディスクドライブの主面に平行な方向において規制するためのガイド部が設けられている。
【００１３】
好ましくは、前記監視カメラ装置は、データ転送インタフェースを有する回路基板を更に備え、前記回路基板には第１のデータ転送ケーブルが接続され、前記ハードディスクドライブには第２のデータ転送ケーブルが接続され、前記第２のデータ転送ケーブルは、前記第１のデータ転送ケーブルと、直接又は一若しくはそれ以上のデータ転送ケーブルを介して、着脱可能に接続されている。このような構成を更に備えることにより、データのバックアップが容易で短時間で可能となる。
【００１４】
好ましくは、前記データ転送インタフェースはＵＳＢインタフェースであり、前記データ転送ケーブルはＵＳＢケーブルである。
【００１５】
好ましくは、前記凸状部は、前記凸状部以外の前記台座部とは分離されており、前記凸状部には、雌ネジ部を有するネジ穴部が設けられ、前記回路基板は、ネジが前記台座部に設けられた穴及び前記回路基板に設けられた穴を介して前記凸状部に設けられたネジ穴部にねじ込まれることによって、前記台座部に固定される。
【００１６】
好ましくは、前記凸状部の高さは、前記回路基板上の部品を損傷しないような高さである。
【００１７】
好ましくは、前記凸状部は複数設けられている。
【００１８】
好ましくは、前記凸状部は柱状である。
【００１９】
好ましくは、前記監視カメラ装置は、サブカメラを更に有する。
【００２０】
好ましくは、前記サブカメラは前記台座部に着脱可能にかつ位置自在に取り付けられる。
【００２１】
好ましくは、前記カメラ部は、赤外線を照射する照明部を更に備える。このような構成を更に備えることにより、夜間等で監視領域の照度が小さい場合に監視領域を照射することによって、夜間等の照度の小さい場合も監視領域が撮像可能となる。
【００２２】
好ましくは、前記監視カメラ装置は、無線ＬＡＮモジュールを更に備える。このような構成を更に備えることにより、監視カメラ装置からハードディスクドライブを取り外すことなく、ハードディスクドライブに記憶された画像データを、監視カメラ装置外部の機器、例えばパーソナルコンピュータに転送し、データのバックアップを行うことも更にできる。
【００２３】
好ましくは、前記ハードディスクドライブが、前記無線ＬＡＮモジュールを更に備える。
【００２４】
好ましくは、前記回路基板が、前記無線ＬＡＮモジュールを備える。
【００２５】
好ましくは、前記監視カメラ装置は、有線ＬＡＮモジュールを更に備える。このような構成を更に備えることにより、監視カメラ装置からハードディスクドライブを取り外すことなく、ハードディスクドライブに記憶された画像データを、監視カメラ装置外部の機器、例えばパーソナルコンピュータに転送し、データのバックアップを行うことも更にできる。
【００２６】
好ましくは、前記監視カメラに異常が発生した場合に、異常を検知し報知する異常検知報知部を更に備える。このような構成を更に備えることにより、監視カメラに異常が発生したことを容易に知ることができる。
【考案の効果】
【００２７】
上記構成を有する本考案によれば、高画質・長時間録画が可能で、信頼性が高く、設置が容易であり、更にはデータのバックアップが容易で短時間で可能な録画装置一体型の監視カメラが提供される。
【図面の簡単な説明】
【００２８】
【図１】本考案の実施形態に係る監視カメラ装置全体の斜視図である。
【図２】本考案の実施形態に係る監視カメラ装置のカバー部を外した状態の斜視図である。
【図３】本考案の実施形態に係る監視カメラ装置のベースを外した状態の斜視図である。
【図４】本考案の実施形態に係る本体部のサブカメラを外した状態の分解斜視図である。
【図５】本考案の実施形態に係る監視カメラ装置の回路構成図である。
【考案を実施するための形態】
【００２９】
以下、本考案の実施形態について図面を参照して説明する。
【００３０】
図１は、監視カメラ装置全体の斜視図、図２は、監視カメラ装置のカバー部を外した状態の斜視図、図３は、監視カメラ装置のベースを外した状態の斜視図、図４は、監視カメラ装置全体のサブカメラを外した状態の分解斜視図、図５は、監視カメラ装置の回路構成図である。これらの図１〜図５を参照して、本考案の実施形態の構成及び動作原理を説明する。
【００３１】
図１〜４に示されるように本実施形態に係る監視カメラ装置１は、ベース２と、ベース２に取り付けられる本体部３と、本体部３に着脱可能に取り付けられるカバー部４、外付けハードディスクドライブ５とから構成される。
【００３２】
有底円筒のベース２の円筒部分には、雌ネジ部２１が設けられている。また、ベース２には、天井や壁等の取り付け部位に固定するための取り付け穴２２と、電源コードを引き出すための引き出し穴２４が設けられている。
【００３３】
カバー部４は、ドーム状の形状を有し、透光性材料で形成されている。
【００３４】
本体部３は、カメラ部３０と、カメラ部３０を回転可能に支持する支持部３２と、カメラ部３０が支持部３２を介して取り付けられる台座部３４と、ＧＰＳ受信機３５と、サブカメラ３６と、胴部３７とから構成される。
【００３５】
カメラ部３０は、レンズ部３０２と、カメラ基板３０４と、可動部材３０６、照明部３０８とから構成される。
【００３６】
カメラ基板３０４は、監視領域を撮像するためのＣＣＤ(Charge Coupled Device)やＣＭＯＳ(Complementary Metal-Oxide Semiconductor)などの撮像素子３０４ａを有する。本実施形態においては、撮像素子３０４ａの解像度は１００万画素であり高解像度の画像を撮像することができる。レンズ部３０２は、カメラ基板３０４に取り付けられる。
【００３７】
可動部材３０６は、支持部３２に回転可能にネジで固定され、カメラ部３０の撮像方向を仰角方向に調整することができる。
【００３８】
メイン基板３０５は、カメラ基板３０４から出力される画像信号及びマイク３１０から出力される音声信号を圧縮符号化する。メイン基板３０５は、各種外部機器との接続のためのインタフェースを備える。本実施形態においては、各種外部機器との接続のためのインタフェースとして、画像・音声出力インタフェース３０５ａ、メモリカードインタフェース３０５ｂ、ＵＳＢインタフェース３０５ｃ、サブカメラインタフェース３０５ｄを備える。これらのインタフェースのうち、画像・音声出力インタフェース３０５ａ、メモリカードインタフェース３０５ｂ、ＵＳＢインタフェース３０５ｃは、メイン基板３０５から出力される圧縮符号化された画像・音声信号を外部に出力する。メモリカードインタフェース３０５ｂは、ＳＤカード等のメモリカード６０が着脱可能なメモリカードスロット３０５ｂ−１を有する。
【００３９】
胴部３７の内周面の一方の端の近傍には、開口部を有する板状の台座部取り付け部３７１が設けられている。台座取り付け部３７１には、電源インタフェース３０７が取り付けられている。
【００４０】
台座部３４は、第１の板状部３４１、第２の板状部３４２、凸状部である柱状部材３４３とから構成される。第１の板状部３４１と第２の板状部３４２は、胴部３７に設けられた台座部取り付け部３７１の一方の面と他方の面にそれぞれネジ止め等により固定される。第１の板状部３４１には、カメラ部３０が支持部３２を介して取り付けられる。また、第２の板状部３４２には、メイン基板３０５が取り付けられる。具体的には、凸状部以外の台座部とは分離された複数の凸状部である柱状部材３４３には、雌ネジ部を有するネジ穴部が設けられており、メイン基板３０５は、ネジ３１４が、第２の板状部３４２、メイン基板３０５のそれぞれ設けられた穴３４２ａ、３０５ｈを介して、複数の柱状部材３４３に設けられたネジ穴部にねじ込まれることによって、台座部３４の第２の板状部３４２に固定される。
更に、台座部３４のベース２に対向する側の部分である第２の板状部３４２には、外付けハードディスクドライブ５の位置を、少なくとも、外付けハードディスクドライブ５の主面に平行な方向に対して規制するためのガイド部３４２ｂが設けられている。ガイド部３４２ｂには切欠部３４２ｂ−１が設けられており、外付けハードディスクドライブ５の側面に設けられたネジ穴５ａに、切欠部３４２ｂ−１を介してネジをねじ込むことによって外付けハードディスクドライブ５をネジで固定することもできる。
【００４１】
胴部３７の内周面の他方の端には、ベース２の雌ネジ部２１と螺合する雄ネジ部３７０が形成されており、これによって、胴部３７をベース２にねじ込むことによって、本体部３をベース２に着脱可能に取り付けることができる。胴部３７のベース２への取り付け構造としては、弾性変形可能な係止爪を用いる構造等他の適切な構造を用いてもよい。
【００４２】
外付けハードディスクドライブ５の一方の主面には、外付けを可能とするために、ハードディスクドライブの基板を保護するカバー５２が設けられている。外付けハードディスクドライブ５は、台座部３４とベース２の底面との間に配置される。このとき、複数の柱状部材３４３は、外付けハードディスクドライブ５の位置を、少なくとも、外付けハードディスクドライブ５の主面に対して垂直な方向において規制する。例えば、カメラ部３０が台座部３４に対して下側に配置された場合の典型例である監視カメラ装置１が天井に取り付けられる場合、外付けハードディスクドライブ５は複数の柱状部材３４３に載置される状態となり、複数の柱状部材３４３は、外付けハードディスクドライブ５の位置を、外付けハードディスクドライブ５の主面に対して垂直な方向である上下方向において規制することとなる。また、例えば、監視カメラ装置１が地面に垂直な壁に取り付けられる場合、複数の柱状部材３４３は、外付けハードディスクドライブ５が多少斜めに倒れる状態にあったとしても、外付けハードディスクドライブ５の位置を、少なくとも、外付けハードディスクドライブ５の主面に対して垂直な方向である水平方向に規制することとなる。そして、複数の柱状部材３４３は、メイン基板３０５上の部品や配線が損傷しないようにする機能や、メイン基板３０５と外付けハードディスクドライブ５との間に通気のための空間を設ける機能も有している。つまり、複数の柱状部材３４３の高さは、メイン基板上の部品及び配線を損傷しないような高さとなっている。このように、ハードディスクドライブを監視カメラ装置に対して保持する構造を、カメラ部が取り付けられる台座部とベースの底面との間に配置することにより、容積の大きな外付けハードディスクドライブを筐体内にコンパクトに収容することを可能としている。
【００４３】
上記構成では、ハードディスクドライブの位置を、少なくとも、ハードディスクドライブの主面に対して垂直な方向において規制するための凸状部として、凸状部以外の台座部とは分離された複数の柱状部材を用いたが、台座部のベースに対向する側の部分に設けられ、ハードディスクドライブの位置を、少なくとも、外付けハードディスクドライブの主面に対して垂直な方向において規制することができるものであれば、凸状部は、単数でもよいし、任意の構成を用いることができる。例えば、単数又は複数の凸状部が一体化された台座部とすることができる。
【００４４】
外付けハードディスクドライブ５は、ＵＳＢインタフェース５０を備えており、ＵＳＢインタフェース５０には、外付けハードディスクドライブ５とは反対側の端部にオス型のコネクタを有する第２のＵＳＢケーブル３８２が接続されている。一方、メイン基板３０５のＵＳＢインタフェース３０５ｃには、基板とは反対側の端部にメス型のコネクタを有する第１のＵＳＢケーブル３８０が接続されている。したがって、外付けハードディスクドライブ５に接続された第２のＵＳＢケーブル３８２と、メイン基板３０５に接続された第１のＵＳＢケーブル３８０が着脱可能に接続されることにより、外付けハードディスクドライブ５は監視カメラ装置１に対して着脱可能とすることができる。第２のＵＳＢケーブル３８２と第１のＵＳＢケーブル３８０は上記のように直接接続されてもよいし、一又はそれ以上のＵＳＢケーブルを介して接続されてもよい。また、外付けハードディスクドライブ５の筐体は、滑り防止と衝撃緩和のために、例えばシリコン素材のものとすることができる。
【００４５】
データ転送ケーブル及びデータ転送インタフェースとして、上記構成では、ＵＳＢケーブル及びＵＳＢインタフェースを用いたが、ハードディスクドライブに対してデータ転送が可能なものであれば、任意のデータ転送ケーブル及びデータ転送インタフェースを用いることができる。
【００４６】
外付けハードディスクドライブ５は、ＩＥＥＥ８０２．１１などの規格に準拠した無線ＬＡＮモジュールを有するものを用いてもよい。そのようなハードディスクドライブを用いれば、無線ＬＡＮモジュールによって無線通信によりデータの送受信を行うことができ、監視カメラ装置１から外付けハードディスクドライブ５を取り外すことなく、外付けハードディスクドライブ５に記憶された画像データを、監視カメラ装置１外部の機器、例えばパーソナルコンピュータに転送し、データのバックアップを行うことも更にできる。
【００４７】
ここで、無線ＬＡＮモジュールを備えるハードディスクドライブを用いる構成に替えて、メイン基板３０５が、無線ＬＡＮモジュールを備える基板を更に備えるように構成したり、他の適当な場所に監視カメラ装置１が、無線ＬＡＮモジュールを備えるように構成してもよい。
【００４８】
また、無線ＬＡＮモジュールに加えて又は替えて、監視カメラ装置１が有線ＬＡＮモジュールを備えるように構成し、監視カメラ装置１から外付けハードディスクドライブ３６を取り外すことなく、外付けハードディスクドライブ３６に記憶された画像データを、ＬＡＮケーブルを介して、監視カメラ装置１外部の機器、例えばパーソナルコンピュータに転送し、データのバックアップを行えるようにしてもよい。
【００４９】
可動部材３０６には、レンズ部３０２を取り囲むように照明部３０８が取り付けられる。照明部３０８は、赤外線発光ダイオード群から構成され、夜間等で監視領域の照度が小さい場合に監視領域を照射することによって、夜間等の照度の小さい場合も監視領域を撮像可能とする。
【００５０】
台座部３４の第１の板状部３４１には、マイク３１０が着脱可能に取り付けられる。マイク３１０は、メイン基板３０５の図示しないマイク入力インタフェースに電気的に接続され、マイク３１０からの出力信号がメイン基板３０５に入力される。マイク３１０は着脱可能に構成されており、監視カメラ装置１の内外の所望の場所に取り付けることができる。
【００５１】
台座部３４の第１の板状部３４１には、スピーカ３１２が取り付けられる。スピーカ３１２は、メイン基板３０５の図示しない音声出力インタフェースに電気的に接続され、メイン基板３０５からの出力信号が音声に変換されて出力される。スピーカ３１２は着脱可能に構成されており、監視カメラ装置１の内外の所望の場所に取り付けることができる。
【００５２】
台座部３４には、カメラ部３０に加えて、サブカメラ３９が、耐振粘着マット等によって、着脱可能にかつ位置自在に取り付けることができる。本実施形態においては、サブカメラ３９の解像度は１００万画素であり高解像度の画像を撮像することができる。サブカメラ３９はメイン基板３０５のサブカメラインタフェース３０５ｄに接続され、サブカメラ３９で撮像された画像の画像信号がメイン基板３０５を介してメイン基板３０５に入力される。カメラ部３０に加えてサブカメラ３９を位置自在に取り付けることができるので、所望の２方向の撮像が可能となり監視領域を広げたり、ワイド画像とズームイン画像の２種類の画像を取得したり等することができる。サブカメラ３９はカメラ部３０と同様のものとすることもできる。
【００５３】
台座部３４の第１の板状部３４１には、ＧＰＳ受信機３５が着脱可能に取り付けられる。ＧＰＳ受信機３５は、メイン基板３０５の図示しないＧＰＳ信号入力インタフェースに電気的に接続され、ＧＰＳ受信機３５からのＧＰＳ信号がメイン基板３０５に入力される。このＧＰＳ受信機３５により受信されたＧＰＳ信号を用いて、図示しない内部時計の時刻が較正される。ＧＰＳ受信機３５は着脱可能に構成されているので、監視カメラ装置内外の受信感度の良好な所望の場所に取り付けることができる。
【００５４】
図４を参照して、メイン基板３０５の制御部３０５ｆは、監視カメラ装置１の動作の制御を司る。制御部３０５ｆは、例えばＣＰＵ(Central Processing Unit)により構成する。
【００５５】
メイン基板３０５の異常検知報知部３０５ｇは、監視カメラ装置１の各部の異常を検知し、異常が検知されるとスピーカ３１２を介して、検知された異常、例えばシステムエラー、電圧異常、ＧＰＳ信号の不受信等に対応するメッセージを音声出力する。
【００５６】
レンズ部３０２を透過した被写体の光は、撮像素子３０４ａの撮像面に結像し、この結像画像に基づく画像信号が撮像素子３０４ａから出力される。撮像素子３０４ａから出力された画像信号は、図示しないインタフェースを介してメイン基板３０５の画像・音声データ処理部３０５ｅに入力する。また画像・音声データ処理部３０５ｅには、マイク３１０からの音声信号が入力される。この画像・音声データ処理部３０５ｅにおいて、撮像素子３０４０ａからの画像信号に対して所定の画像処理が施され、画像処理が施された画像信号の画像データ及び音声信号の音声データが圧縮処理され、圧縮画像・音声データが生成される。画像データ及び音声データの圧縮処理は、例えばＨ．２６４方式を用いて行うことができる。
【００５７】
画像・音声データ処理部３０５ｅにおいて生成された圧縮画像・音声データは、メイン基板３０５の画像・音声出力インタフェース３０５ａ、メモリカードインタフェース３０５ｂ、又はＵＳＢインタフェース３０５ｃを介して、それらのインタフェースのいずれかに接続される外部機器に出力される。
【００５８】
例えば、ＵＳＢインタフェース３０５ｃに接続された第１のＵＳＢケーブル３８０と、外付けハードディスクドライブ５に接続された第２のＵＳＢケーブル３８２が接続されている場合、画像・音声データ処理部３０５ｅにおいて生成された圧縮画像・音声データは、外付けハードディスクドライブ５に出力され、記憶される。
【００５９】
また、例えば、メモリカードインタフェース３０５ｂのメモリカードスロット３０５ｂ−１にメモリカード６０が装着されている場合、画像・音声データ処理部３０５ｅにおいて生成された圧縮画像・音声データは、メモリカード６０に出力され、記憶される。
【００６０】
以上の装置構成に基づいて、外付けハードディスクドライブ５に記憶された圧縮画像・音声データを、パーソナルコンピュータ等の外部の機器に、データのバックアップ等のために移す際の手順について説明する。
【００６１】
まず、ベース２にねじ込まれている本体部３の胴部３７を取り外す。次に、外付けハードディスクドライブ５を取り出すと共に、外付けハードディスクドライブ５に接続された第２のＵＳＢケーブル３８２を第１のＵＳＢケーブル３８０から取り外す。そして、この外付けハードディスクドライブ５に接続された第２のＵＳＢケーブル３８０をパーソナルコンピュータのＵＳＢ端子に接続し、外付けハードディスクドライブ５に記憶された圧縮画像・音声データをパーソナルコンピュータ等の外部の機器に移す。したがって、本実施形態によれば、監視カメラ装置１に記憶された圧縮画像・音声データをパーソナルコンピュータ等の外部の機器に簡単に移すことができる。
【００６２】
このように、本実施形態においては、ハードディスクドライブを監視カメラ装置に対して着脱可能とする構造を、カメラ部３０が取り付けられる台座部３４とベース２の底面２０との間に配置することにより、容積の大きなハードディスクドライブを筐体内にコンパクトに収容することを可能とし、録画装置一体型の監視カメラ装置において、カメラ部３０及びマイク３１０により取得された画像・音声データの圧縮画像・音声データを記憶する記憶媒体として、大容量で、繰り返し使用に対する耐久性も高く信頼性が高く、また転送速度も大きいという優れた特徴を有するハードディスクドライブを採用することができる。そして、本実施形態の構成により、高画質・長時間録画が可能で、信頼性が高く、設置が容易であり、かつデータのバックアップが容易で短時間で可能な録画装置一体型の監視カメラが実現される。
【００６３】
また、圧縮画像・音声データを記憶する記憶媒体としてハードディスクドライブを採用したことにより、大容量のデータの記憶が可能となるため、カメラ部３０とサブカメラ３９の２台のカメラの撮像データを記憶することができるようになったので、２方向の撮像が可能となり監視領域を広げたり、ワイド画像とズームイン画像の２種類の画像を取得したり等することができる。
【００６４】
上記構成では、ハードディスクドライブとして、外付けハードディスクドライブを用いたが、外付けハードディスクドライブでないハードディスクドライブ（例えば内蔵ハードディスクドライブ）を用いて、それをメイン基板に接続する構成としてもよい。このような構成においても、ハードディスクドライブを監視カメラ装置に対して保持する構造を、カメラ部が取り付けられる台座部とベースの底面との間に配置することにより、容積の大きなハードディスクドライブを筐体内にコンパクトに収容することを可能とする効果が得られる。
【００６５】
以上、本考案について、例示のためにいくつかの実施形態に関して説明してきたが、本考案はこれに限定されるものでなく、本考案の範囲及び精神から逸脱することなく、形態及び詳細について、様々な変形及び修正を行うことができることは、当業者に明らかであろう。
【符号の説明】
【００６６】
１  監視カメラ装置
２  ベース
３  本体部
４  カバー部
５  外付けハードディスクドライブ
５ａ  ネジ穴
２０  底面
２１  雌ネジ部
２２  取り付け穴
２４  引き出し穴
３０  カメラ部
３２  支持部
３４  台座部
３５  ＧＰＳ受信機
３６  サブカメラ
３７  胴部
５０  ＵＳＢインタフェース
６０  メモリカード
３０２  レンズ部
３０４  カメラ基板
３０４ａ  撮像素子
３０５  メイン基板
３０５ａ  画像・音声出力インタフェース
３０５ｂ  メモリカードインタフェース
３０５ｂ−１  メモリカードスロット
３０５ｃ  ＵＳＢインタフェース
３０５ｄ  サブカメラインタフェース
３０５ｅ  画像・音声データ処理部
３０５ｆ  制御部
３０５ｇ  異常検知報知部
３０５ｈ  穴
３０６  可動部材
３０７  電源インタフェース
３０８  照明部
３１０  マイク
３１２  スピーカ
３１４  ネジ
３８０  第１のＵＳＢケーブル
３８２  第２のＵＳＢケーブル
３４１  第１の板状部
３４２  第２の板状部
３４２ａ  穴
３４２ｂ  ガイド部
３４２ｂ−１  切欠部
３４３  柱状部材
３７１  台座部取り付け部
【図１】
0003198511.tif 000003
【図２】
0003198511.tif 000004
【図３】
0003198511.tif 000005
【図４】
0003198511.tif 000006
【図５】
0003198511.tif 000007
【手続補正書】
【提出日】平成27年4月28日(2015.4.28)
【手続補正１】
【補正対象書類名】実用新案登録請求の範囲
【補正対象項目名】全文
【補正方法】変更
【補正の内容】
【実用新案登録請求の範囲】
【請求項１】
監視カメラ装置であって、
前記監視カメラ装置の取り付け部位に固定することができるように構成されたベースと、
カメラ部と、
前記カメラ部が取り付けられる台座部と、
前記カメラ部で撮像された画像データを記憶するハードディスクドライブと、
を備え、
前記台座部の前記ベースに対向する側の部分には、前記ハードディスクドライブの位置を、少なくとも、前記ハードディスクドライブの主面に対して垂直な方向において規制するための凸状部が設けられている
監視カメラ装置。
【請求項２】
前記ハードディスクドライブは外付けハードディスクドライブである請求項１に記載の監視カメラ装置。
【請求項３】
前記カメラ部が前記台座部に対して下側に配置された場合、前記ハードディスクドライブは前記凸状部に載置される請求項１又は２に記載の監視カメラ装置。
【請求項４】
前記台座部の前記ベースに対向する側の部分には、更に、前記ハードディスクドライブの位置を、少なくとも、前記ハードディスクドライブの主面に平行な方向において規制するためのガイド部が設けられている請求項１〜３のいずれか１項に記載の監視カメラ装置。
【請求項５】
前記凸状部は複数設けられている請求項１〜４のいずれか１項に記載の監視カメラ装置。
【請求項６】
前記凸状部は柱状である請求項１〜５のいずれか１項に記載の監視カメラ装置。
【請求項７】
サブカメラを更に有する請求項１〜６のいずれか１項に記載の監視カメラ装置。
【請求項８】
前記サブカメラは前記台座部に着脱可能にかつ位置自在に取り付けられる請求項７に記載の監視カメラ装置。
【請求項９】
前記カメラ部は、赤外線を照射する照明部を更に備える請求項１〜８のいずれか１項に記載の監視カメラ装置。
【請求項１０】
無線ＬＡＮモジュールを更に備える請求項１〜９のいずれか１項に記載の監視カメラ装置。
【請求項１１】
前記ハードディスクドライブが、前記無線ＬＡＮモジュールを更に備える請求項１０に記載の監視カメラ装置。
【請求項１２】
データ転送インタフェースを有する回路基板を更に備え、
前記回路基板には第１のデータ転送ケーブルが接続され、
前記ハードディスクドライブには第２のデータ転送ケーブルが接続され、
前記第２のデータ転送ケーブルは、前記第１のデータ転送ケーブルと、直接又は一若しくはそれ以上のデータ転送ケーブルを介して、着脱可能に接続されている請求項１〜１０のいずれか１項に記載の監視カメラ装置。
【請求項１３】
前記データ転送インタフェースはＵＳＢインタフェースであり、前記データ転送ケーブルはＵＳＢケーブルである請求項１２に記載の監視カメラ装置。
【請求項１４】
前記凸状部は、前記凸状部以外の前記台座部とは分離されており、
前記凸状部には、雌ネジ部を有するネジ穴部が設けられ、
前記回路基板は、ネジが前記台座部に設けられた穴及び前記回路基板に設けられた穴を介して前記凸状部に設けられたネジ穴部にねじ込まれることによって、前記台座部に固定される請求項１２又は１３に記載の監視カメラ装置。
【請求項１５】
前記凸状部の高さは、前記回路基板上の部品及び配線を損傷しないような高さである請求項１２〜１４のいずれか１項に記載の監視カメラ装置。
【請求項１６】
データ転送インタフェースを有する回路基板を更に備え、
前記回路基板には第１のデータ転送ケーブルが接続され、
前記ハードディスクドライブには第２のデータ転送ケーブルが接続され、
前記第２のデータ転送ケーブルは、前記第１のデータ転送ケーブルと、直接又は一若しくはそれ以上のデータ転送ケーブルを介して、着脱可能に接続されている請求項１１に記載の監視カメラ装置。
【請求項１７】
前記データ転送インタフェースはＵＳＢインタフェースであり、前記データ転送ケーブルはＵＳＢケーブルである請求項１６に記載の監視カメラ装置。
【請求項１８】
前記凸状部は、前記凸状部以外の前記台座部とは分離されており、
前記凸状部には、雌ネジ部を有するネジ穴部が設けられ、
前記回路基板は、ネジが前記台座部に設けられた穴及び前記回路基板に設けられた穴を介して前記凸状部に設けられたネジ穴部にねじ込まれることによって、前記台座部に固定される請求項１６又は１７に記載の監視カメラ装置。
【請求項１９】
前記凸状部の高さは、前記回路基板上の部品及び配線を損傷しないような高さである請求項１６〜１８のいずれか１項に記載の監視カメラ装置。
【請求項２０】
前記回路基板が、無線ＬＡＮモジュールを備える基板を更に備える請求項１２〜１５のいずれか１項に記載の監視カメラ装置。
【請求項２１】
有線ＬＡＮモジュールを更に備える請求項１〜２０のいずれか１項に記載の監視カメラ装置。
【請求項２２】
前記監視カメラに異常が発生した場合に、異常を検知し報知する異常検知報知部を更に備える請求項１〜２１のいずれか１項に記載の監視カメラ装置。